(57)【特許請求の範囲】
【請求項１】
多数の矩形の編み目を有し、該編み目の崩れが編成により防止されているラッシェル編地であって、
前記編地が縦ストランドと緯ストランドとよりなり、縦ストランドが鎖糸と挿入糸とにより編成され、緯ストランドが隣接する縦ストランドの各挿入糸によって編成され、
縦ストランドの挿入糸が、緯ストランドの前後にて鎖糸にラッピングされ、該ラッピング位置の間にある緯ストランドが縦ストランドに固定されるようにしたことを特徴とするラッシェル編地。
【請求項２】
多数の矩形の編み目を有し、該編み目の崩れが編成により防止されているラッシェル編地よりなる土嚢袋材であって、
前記編地が縦ストランドと緯ストランドとよりなり、縦ストランドが鎖糸と挿入糸とにより編成され、緯ストランドが隣接する縦ストランドの各挿入糸によって編成され、
縦ストランドの挿入糸が、緯ストランドの前後にて鎖糸にラッピングされ、該ラッピング位置の間にある緯ストランドが縦ストランドに固定されるようにしたことを特徴とする土嚢袋材。
【請求項３】
前記土嚢袋材は、底面部と４つの側面部と蓋面部よりなり、側面部の上端には吊り上げ用のフック部を備えていることを特徴とする、請求項２記載の土嚢袋材。
【請求項４】
前記土嚢袋材が、根固め工法，護床保護工、のり覆い工、又は、水制工として使用されるものであるとこを特徴とする、請求項２記載の土嚢袋材。
【発明の詳細な説明】
【技術分野】
【０００１】
本発明は、荷重が加わっても編み目が崩れない編地に関するものであり、また海岸、河川、湖、池等での洗堀防止、浸食防止等のために根固め工法、護床保護工、のり覆い工、水制工等の工法のために使用するものであって詰め物によって荷重が加わっても編み目（角目）が崩れない土嚢袋、またその編地に関するものである。
【背景技術】
【０００２】
従来、海岸、河川、湖、池等での洗堀防止、浸食防止等のために根固め工法、護床保護工、のり覆い工、水制工等の工法（以下、単に「根固め工法」という）がある。
この根固め工法には、砂利石、玉石、割栗石等の中詰め材を入れた土嚢袋（通称、「ボトルユニット」、「ふとん篭」）が使用される。
施工現場では土嚢袋に中詰め材を充填した後、吊り上げて施工対象となる位置に移し変えている。
【０００３】
土嚢袋を吊り上げた場合に、土嚢袋の底部に砂利石、玉石、割栗石等の詰め目による荷重が加わっても、通常、それに耐えるための十分な強度を備えなければならない。
ところでこの土嚢袋は、後述するように、底面部とそれから起立状になった４面の側面部、開口を覆うための蓋面部とよりなるが、これら底面部、側面、及び蓋面部は編地により形成されており、相互に縫着等により連結されて直方体形状を呈するものである。
このように土嚢袋が直方体形状であると、現場で順次、正確に積み上げて、並べて施工することが効率良く然も容易に可能となる。
【０００４】
中詰め材を入れた状態において直方体形状を維持するには、土嚢袋の編地の目（角目ともいう）が矩形の編み目である必要がある。
すわなち、図７に示すように、吊り上げ方向に一辺が配置されるように土嚢袋を作ると、そのままの編み目Ｓを保持することができるからである〔図７（Ａ）参照〕。
因みに、例えば編み目Ｓが三角や菱形である場合、土嚢袋の吊り上げ方向に一辺が配置されることは不可能であり、そのため荷重が加わると編み目が歪んで、その結果、土嚢袋の形全体が下膨れとなり直方体の形状を維持できない〔図７（Ｂ）、図７（Ｃ）参照〕。  
【０００５】
このようなことから、現在、矩形の編み目Ｓを有するラッシェル編地が土嚢袋として使用されている。
なお矩形の編み目Ｓを有する編地は、通常、ラッシェル編機により編成される。
しかし、このようなラッシェル編地であっても、矩形の編み目Ｓは、砂利石、玉石、割栗石等の中詰め材による荷重を受けた場合に変形し易い。
荷重を受ける編み目Ｓの頂点がスライドして正確な矩形の状態を保持できなくなり、その結果、土嚢袋自体の直方体の形状が歪むこととなる。
【０００６】
また矩形の編み目Ｓに変形が生じると荷重が特定の部分に集中して編糸に過度な負荷が加わり、極端にはその部分で破断が生じる。
編糸の材料により編地の破断強度を大きくするには限度があることから、少なくとも、矩形の編み目Ｓが変形しないように維持することで荷重の集中を回避して極力編糸の破断を阻止することが得策である。
しかし、矩形の編み目Ｓを有するラッシェル編地であって、荷重が加わった場合、その編み目の形を確実に保持できる土嚢袋は未だに上市されていない。
【０００７】
【特許文献１】特開２００１−３４８８３３号公報
【発明の開示】
【発明が解決しようとする課題】
【０００８】
本発明は、このような技術的背景をもとになされたものである。
すなわち本発明の目的は、荷重が加わっても編み目が崩れない編地を提供することである。
更には、本発明の目的は、海岸、河川、湖、池等での洗堀防止、浸食防止等のための根固め工法のために使用するものであって中詰め材によって荷重が加わっても編み目が崩れない土嚢袋を提供することである。
【課題を解決するための手段】
【０００９】
かくして、本発明者は、このような課題背景に対して鋭意研究を重ねた結果、編地の矩形の編み目を挿入糸のラッピング機能により極力崩れないようにできることを見出し、この知見により本発明を完成したものである。
【００１１】
すなわち、本発明は、（１）、多数の矩形の編み目を有し、該編み目の崩れが編成により防止されているラッシェル編地であって、前記編地が縦ストランドと緯ストランドとよりなり、縦ストランドが鎖糸と挿入糸とにより編成され、緯ストランドが隣接する縦ストランドの各挿入糸によって編成され、縦ストランドの挿入糸が、緯ストランドの前後にて鎖糸にラッピングされ、該ラッピング位置の間にある緯ストランドが縦ストランドに固定されるようにしたラッシェル編地に存する。
【００１３】
また、本発明は、（２）、多数の矩形の編み目を有し、該編み目の崩れが編成により防止されているラッシェル編地よりなる土嚢袋材であって、前記編地が縦ストランドと緯ストランドとよりなり、縦ストランドが鎖糸と挿入糸とにより編成され、緯ストランドが隣接する縦ストランドの各挿入糸によって編成され、縦ストランドの挿入糸が、緯ストランドの前後にて鎖糸にラッピングされ、該ラッピング位置の間にある緯ストランドが縦ストランドに固定されるようにした土嚢袋材に存する。
【００１４】
また、本発明は、（３）、前記土嚢袋材は、底面部と４つの側面部と蓋面部よりなり、側面部の上端には吊り上げ用のフック部を備えている上記（２）記載の土嚢袋材に存する。
【００１５】
また、本発明は、（４）、前記土嚢袋材が、根固め工法，護床保護工、のり覆い工、又は、水制工として使用されるものである上記（２）記載の土嚢袋材に存する。
【００１６】
なお、本発明の目的に添ったものであれば、上記発明を適宜組み合わせた構成も採用可能である。
【発明の効果】
【００１７】
本発明のラッシェル編地は、多数の矩形の編み目を有し、該編み目の崩れが編成により防止されており、詳しくは縦ストランドが鎖糸と挿入糸とにより編成され、緯ストランドが隣接する縦ストランドの各挿入糸によって編成され、縦ストランドの挿入糸が緯ストランドの前後にて鎖糸にラッピングされているので、編地に荷重が加わっても編み目の崩れがなく矩形の編み目が変形しない。
結果的に、編み目に変形が生じて荷重が特定の部分に集中して編糸が破断するようなことが回避される。
【００１８】
また、このような編地を土嚢袋材とした場合、砂利石、玉石、割栗石等の詰め目を入れた状態で土嚢袋材を吊り上げた場合に、その底部に中詰め材による加重が加わっても、矩形の目が崩れることがなく、同様に荷重の集中による破断が回避される。
【発明を実施するための最良の形態】
【００１９】
以下、本発明を実施するための最良の形態を図面を用いて説明する。
図１は本発明の土嚢袋材を示す説明図である。
この土嚢袋材１０には、砂利石、玉石、割栗石等の中詰め材Ｗが投入されて使用される。
土嚢袋材１０は、底面部１１とそれから起立した４面の側面部１２、及び蓋面部１３とよりなり、これら底面部１１、側面部１２、及び蓋面部１３は編地によって形成されている。
そして底面部１１と側面部１２、側面部同士、側面部１２と蓋面部１３とは縫製等によりつなぎ合わされ、丁度、上方が開口可能な箱体の如くの形状を呈する。
なお、蓋面部１３の一つの端辺は、側面部１２の一つの端辺につなぎ合わされて開閉自在となっている。
【００２０】
この箱体形状の土嚢袋材１０は、砂利石、玉石、割栗石等の中詰め材Ｗを投入（或いは充填）された後、側面部１２に対して蓋面部１３がロープＲにより閉じられて施工前における使用状態となる。
この土嚢袋材１０の側面部１２の上端には吊り上げ用のフック部Ｆが取り付けられており、施工の際は、開口部から砂利石、玉石、割栗石等の中詰め材Ｗを充填した後、その土嚢袋材１０をクレーン等で吊り上げて移動することができる（図２参照）
【００２１】
さて、この土嚢袋材１０を構成するラッシェル編地は、ラッシェル編機により編成される編地であり、格子状に多数の矩形の編み目Ｓを有する形態をとる。
そして、本発明のラッシェル編地は、従来の矩形の編み目Ｓを有する編地と異なる編成手法を取り入れており、この特有の編成手法により矩形の編み目Ｓの崩れが確実に防止されることとなる。
【００２２】
なお、編地の編み目Ｓは、４辺、４角よりなる矩形の編み目Ｓ（いわゆる４角目）となっておりこの矩形の一辺が吊り上げ方向に配置されるような土嚢袋であると、そのままの編み目を保持することができることは既に述べたとおりである。
また、編地を編成する編糸としては、ポリエステル繊維糸、ポリアミド繊維糸、ポリアクリル繊維糸等の合繊繊維糸、或いは、綿糸、麻糸等の天然繊維糸等が、適宜、単独又は混繊して使用される。
【００２３】
図３はその本発明のラッシェル編地の編地組織の編成方法を示した説明図であり、また図４は本発明の編地組織についてラッピング部分の糸の使い方を示す説明図である。
更に、図５は、図４の一部拡大を示す図である。
なお、参考までに、図８は従来の編地組織の編成方法を示した説明図であり、図９は従来の編地組織についてラッピング部分の糸の使い方を示す説明図である。
更に、図１０は、図９の一部拡大を示す図である。
本発明の編地は、ラッシェル編機により編成されるが、その編成工程においてラッピンクを有する編成組織として形成される。
【００２４】
矩形の編み目Ｓを有するラッシェル編地は、上述したようにラッシェル編機により編成され、編地組織としては縦ストランドＹがウェール方向（すなわち縦緯方向）に一定の間隔をおいて多数形成されており、一方、緯ストランドＸはコース方向（すなわち緯縦方向）に一定の間隔をおいて多数形成されている形態である。
【００２５】
そのためウェールコース方向の縦ストランドＹとコースウェール方向の緯ストランドＸとにより矩形の編み目Ｓが、全体的に格子状に（碁盤の目のように）多数形成された形態となる。
この縦ストランドＹ同士及び緯ストランドＸの間隔が矩形の編み目の大きさを決定する要素であり、編成工程時、矩形の度合い（短辺と長辺との比）を自由に選択することができる。
【００２６】
ここで、ウェールコース方向にある縦ストランドＹは、鎖糸１（図では２本）と挿入糸２により編成されており、その内の隣接する縦ストランドＹを編成する挿入糸２によって一定間隔でコース方向にある緯ストランドＸが編成される。
この場合、挿入糸２が隣接する一方の縦ストランドＹから他方の縦ストランドＹに入り込み（すなわち「飛び」）、同時に、他方の縦ストランドＹから一方の縦ストランドＹに戻ることにより、両縦ストランドＹは相互に連結されて連結組織、すなわち緯ストランドＸを形成するのである。
【００２７】
このようにして縦ストランドＹと緯ストランドＸにより格子状に多数の矩形の編み目Ｓが編成されていくこととなる。
そしてこの編成工程において、緯ストランドＸの前後で、縦ストランドＹを構成する挿入糸２が鎖糸１にラッピングされる（図のＰはラッピング位置を示す）。
このラッピングにより縦ストランドＹに対して緯ストランドＸが固定され、目崩れがしない矩形の編み目Ｓが形成されるのである。
【００２８】
図９に示す従来のラッセェルル編地では、このラッシェル編地の矩形の編み目Ｓは崩れ易い。
すなわち、縦ストランドＹに対して緯ストランドＸがスライドするように移動する現象が生じるのである。
【００２９】
図６は、このようなスライド現象を示す説明図である。
そして緯ストランドＸが縦ストランドＹに沿ってスライドすると編み目Ｓが矩形を保てず変形する。
このように編み目Ｓが崩れて変形すると強度が矩形の辺の一部に集中して編糸が切断するのである。
本発明の編地の場合は、荷重が加わっても挿入糸のラッピング機能により、緯ストランドＸがスライドしないために編み目Ｓが崩れず変形しない。
【００３０】
図４からラッピング部分の糸の使い方が理解されるが、図９と較べてラッピングにより鎖糸１と挿入糸２との結束力が強く発揮されるために、このラッピングの間にある緯ストランドＸは確実に固定され従来のようにスライド現象は発生しない。
今まで実施の形態で述べた土嚢袋材１０は、海岸、河川、湖、池等での洗堀防止、浸食防止等のための種々の土木工法に採用可能であるが、特に、根固め工法、護床保護工、のり覆い工、水制工に有用である。
【００３１】
以上本発明を説明してきたが、本発明は上述した実施形態にのみ限定されるものではなく、その本質を逸脱しない範囲で他の種々の変形が可能であることはいうまでもない。
例えば、上述した実施形態では、縦ストランドＹと緯ストランドＸの組織は図４に示すような編地組織に限らなく、要は挿入糸２が鎖糸１にラッピングすることで緯ストランドＸが固定されるものであればよい。
【図面の簡単な説明】
【００３２】
【図１】図１は本発明の土嚢袋材を示す説明図である。
【図２】図２は、本発明における吊り上げて移動する土嚢袋材を示す説明図である。
【図３】図３は、本発明のラッシェル編地の編地組織の編成方法を示した説明図である。
【図４】図４は本発明の編地組織についてラッピング部分の糸の使い方を示す説明図である。
【図５】図５は、図４の一部拡大を示す図である。
【図６】図６は、編地におけるスライド現象を示す説明図である。
【図７】図７は、編地の吊り上げ方向に一辺が配置された状態を示す説明図であり、（Ａ）は矩形の編み目、（Ｂ）は三角形の編み目、（Ｃ）は菱形の編み目を示す。
【図８】図８は、従来の編地組織の編成方法を示した説明図である。
【図９】図９は、従来の編地組織についてラッピング部分の糸の使い方を示す説明図である。
【図１０】図１０は、図９の一部拡大を示す図である。
【符号の説明】
【００３３】
１…鎖糸
２…挿入糸
１０…土嚢袋材
１１…底面部
１２…側面部、
１３…蓋面部
Ｆ…フック部
Ｐ…ラッピング位置
Ｒ…ロープ
Ｓ…編み目
Ｗ…中詰め材
Ｘ…緯ストランド
Ｙ…縦ストランド
【図１】
0004410766.tif 000002
【図２】
0004410766.tif 000003
【図３】
0004410766.tif 000004
【図４】
0004410766.tif 000005
【図５】
0004410766.tif 000006
【図６】
0004410766.tif 000007
【図７】
0004410766.tif 000008
【図８】
0004410766.tif 000009
【図９】
0004410766.tif 000010
【図１０】
0004410766.tif 000011